(57)【要約】      （修正有）【課題】作業の軽減を計り能率的に結束作業を可能とし、整理し保管できる場所が確保でき、再生紙の資源として環境保護解決の一端を担う事が可能となる紙類保管箱の構造を提供する。【解決手段】古新聞、紙類の結束作業を行う場合の労力の軽減を計る為には、重い紙類を持ち上げる必要を無くし、紙類を中空に浮かせた状態で結束を行う事が可能であれば作業労力を軽減することが可能となる。その為の構造として、奥行きと幅の両側面の中央部分には紐の入る隙間をあけ、積み重ねた紙類の底部分にも腕が入る空間を作り紐を通す事を可能とした、積み重ねた新聞紙、紙類等を持ち上げること無く結束可能な紙類保管箱の構造である。【選択図】図１
0003150206.tif 000002
【実用新案登録請求の範囲】
【請求項１】
古新聞、紙類の結束作業を行う場合の労力の軽減を計る為には、重い紙類を持ち上げる必要を無くし、紙類を中空に浮かせた状態で結束を行う事が可能であれば作業労力を軽減することが可能となる、その為の構造の説明として、奥行きと幅の両側面の中央部分には紐の入る隙間をあけ、積み重ねた紙類の底部分にも腕が入る空間を作り紐を通す事を可能とした、積み重ねた新聞紙、紙類等を持ち上げること無く結束可能な紙類保管箱の構造。
【考案の詳細な説明】
【技術分野】
【０００１】本発明は重ねた紙類を持ち上げることなく結束できるように作業の軽減を計る為の溝と空間を付けた紙類保管箱である。
【考案の開示】
【考案が解決しようとする課題】
【０００２】通常新聞紙等の結束作業においては、先に紐を下に引き、その上に紙類の束を積み重ね、両端の紐を結び、上部で十文字に締め、重ねた紙類の束を持ち上げ、その下を通して上で結ぶ動作が必要となり、労力と手間を要する為に多くの家庭及び企業においては、再利用可能な紙資源の新聞紙・包装紙・チラシ・案内書類等々を無駄に廃棄され可燃ごみとして処理される場合が多いと考えられる、作業の軽減を計り能率的に結束作業を可能とし、整理し保管できる場所の確保が解決されれば、再生紙の資源として環境保護解決の一端を担う事が可能となる。
【課題を解決するための手段】
【０００３】古新聞、紙類の結束作業を行う場合の労力の軽減を計る為には、重い紙類を持ち上げる必要を無くし、紙類を中空に浮かせた状態で結束を行う事が可能であれば作業労力を軽減することが可能となる、その為の構造の説明として、奥行きと幅の両側面の中央部分には紐の入る隙間をあけ、積み重ねた紙類の底部分にも腕が入る空間を作り紐を通す事を可能とした、積み重ねた新聞紙、紙類等を持ち上げること無く結束可能な紙類保管箱の構造。
【考案の効果】
【０００４】新聞紙等を持ち上げる事無く簡単に紐掛けをする事が可能となる為、腰、膝への負担が軽減され、特に力の無い人、高齢者等、にはその効果が期待できるうえに作業時間の短縮となる、又不要な紙類の整理、保管場所となるため、新聞紙以外の今まで可燃ごみとして廃棄していた紙類まで整理し保管可能となり、資源として再利用される紙類の増加が見込まれ環境保護に貢献できる効果が見出せる、及び腕の入る空間には紐、はさみ等の結束作業に必要な道具類を保管して置く場所をも確保し、移動しやすいように底部分には車を取り付けてある為、重量の重い紙類運搬器具としての効果もある。
【考案を実施するための最良の形態】
【実施例１】
【０００５】図１の形態を実施する為の実施例１として、本体素材は軽量で丈夫なプラスチック素材を使用し、特に環境に配慮したリサイクルのエコ素材の使用が望ましく型抜きの実施とし、底部に取り付けた車輪は紙類及び本体重量に耐えうる車輪を使用。
【実施例２】図１の形態を実施する為の実施例２として、木製素材を使用し合板又は天然木での実施とし、底部に取り付けた車輪は紙類及び本体重量に耐えうる車輪を使用。
【図面の簡単な説明】
【０００６】
【図１】斜め上から全体を示した立体図である。
【図２】上方向から示した平面図である。
【図３】幅方向から示した正面図である。
【図４】奥行き方向から示した側面図である。
【符号の説明】
【０００７】１    側面部分。
２    紙類をおく棚部分。
３    本体最下部の板部分。
４    腕を入れ紐を通す為の空間であると同時に、紐・はさみ等の保管場所部分。
５    紐を通す空間部分。
６    紐を結びやすくする為の切り込みを入れ、広げた部分。
７    車輪。
【図１】
0003150206.tif 000003
【図２】
0003150206.tif 000004
【図３】
0003150206.tif 000005
【図４】
0003150206.tif 000006
【手続補正書】
【提出日】平成20年11月4日(2008.11.4)
【手続補正１】
【補正対象書類名】実用新案登録請求の範囲
【補正対象項目名】請求項１
【補正方法】変更
【補正の内容】
【請求項１】
古新聞等の紙類を積み重ね置く棚板（図１−２）は、４枚の板からなり、その１枚づつの隙間は紐が通るだけの間隔を開けた状態で田の字の形で配置されている、その４枚の棚板は本体底板から手や腕が余裕を持って入る空間を保った高さの位置に固定されなければならない為に、本体底板の四隅にその長さ分の柱を垂直に立て固定し、固定されたその柱の上面に４枚の棚板をそれぞれの柱に田の字の形となるように配置し固定する、この棚板が紙類を持ち上げることなく紐を通す事を可能にした構造の棚板となる、取り付けたこの棚板の外側には紙類が整理されて重ねられるように、紐を通す為の隙間をふさがない形態で側面部分（図１−１）に側面板を取り付け固定する、この側面板は１枚の棚板に２面の側面を有している為、合計で８面の側面板が必要となる、また紐を通過させ紐を結びやすくする為に三角形の切り込みを入れた形状とし、紙類を上に引っ張り出しやすくする為に開口部は棚板部分より幾分か広く逆台形の形にしておく事が望ましい、本体最下部の底部分には移動の為のキャスター（車輪）を最下部の四隅に設置した、不要紙類の結束を軽減する機能付き保管箱の構造。
【手続補正２】
【補正対象書類名】明細書
【補正対象項目名】０００２
【補正方法】変更
【補正の内容】
【０００２】新聞紙等の紙類を結束する場合、紐の上に紙類の束を積み重ね、両端から紐を紙類の上で十文字に締め、重ねた紙類の束を持ち上げながら紐を通す動作が必要となり、かなりの労力を要することとなる、その結束作業効率の軽減を目的とする為に、重量のある紙類を持ち上げることなく紐を結ぶ事を可能にした考案。
【手続補正書】
【提出日】平成21年2月6日(2009.2.6)
【手続補正１】
【補正対象書類名】実用新案登録請求の範囲
【補正対象項目名】全文
【補正方法】変更
【補正の内容】
【実用新案登録請求の範囲】
【請求項１】
古新聞等の紙類を積み重ね置く棚板（図１−２）は、４枚の板からなり、その１枚づつの隙間は紐が通るだけの間隔を開けた状態で田の字の形で配置されている、その４枚の棚板は本体底板から手や腕が余裕を持って入る空間を保った高さの位置に固定されなければならない為に、本体底板の四隅にその長さ分の柱を垂直に立て固定し、固定されたその柱の上面に４枚の棚板をそれぞれの柱に田の字の形となるように配置し固定する、この棚板が紙類を持ち上げることなく紐を通す事を可能にした構造の棚板となる、取り付けたこの棚板の外側には紙類が整理されて重ねられるように、紐を通す為の隙間をふさがない形態で側面部分（図１−１）に側面板を取り付け固定する、この側面板は１枚の棚板に２面の側面を有している為、合計で８面の側面板が必要となる、また紐を通過させ紐を結びやすくする為に三角形の切り込みを入れた形状とし、紙類を上に引っ張り出しやすくする為に開口部は棚板部分より幾分か広く逆台形の形にし、本体最下部の底部分には移動の為のキャスター（車輪）を最下部の四隅に設置した、不要紙類の結束を軽減する機能付き保管箱の構造。
【手続補正２】
【補正対象書類名】図面
【補正対象項目名】全図
【補正方法】変更
【補正の内容】
【図１】
0003150206.tif 000007
【図２】
0003150206.tif 000008
【図３】
0003150206.tif 000009
【図４】
0003150206.tif 000010